(57)【特許請求の範囲】
【請求項１】
駆動モータの固定子の内部の回転子に回動自在に嵌合されて、内部にオイル流路が切削形成されたクランク軸と、
前記駆動モータを弾性支持する複数の支持スプリングと、
前記クランク軸の下方端に嵌合されて該クランク軸と一緒に回転されるスリーブと、
前記スリーブの内周面に所定間隔を維持するように嵌合されてオイルの吸入作用を行なう吸上部材と、
前記吸上部材が前記スリーブの内部で停止状態を維持するように、前記吸上部材を支持する支持ブラケットとを具備し、
前記支持ブラケットは前記吸上部材の下方端から放射状に延長形成される複数のレッグを具備しており、該レッグの先方端が前記支持スプリングに係合するようにしたことを特徴とする密閉型圧縮機のオイル供給装置。
【請求項２】
前記複数の支持スプリングは、前記固定子の下面に装着される複数のスプリングサポータにそれぞれ係合される複数の上部スプリングと、前記密閉容器の底面に装着される複数のスプリングシートにそれぞれ係合される複数の下部スプリングと、に分割された形態に形成されることを特徴とする請求項１記載の密閉型圧縮機のオイル供給装置。
【請求項３】
前記支持ブラケットは、前記各レッグの各先方端にそれぞれ形成され、前記各上部スプリングと下部スプリング間にそれぞれ係合される複数のシートキャップを包含して構成されることを特徴とする請求項２記載の密閉型圧縮機のオイル供給装置。
【請求項４】
前記各レッグは、前記吸上部材の下面に嵌合されて外側方向に延長される所定幅を有するロッド状に形成され、その先方側は上向きに折曲される所定弾性力を有する材質からなることを特徴とする請求項１〜３中何れか１つに記載の密閉型圧縮機のオイル供給装置。
【請求項５】
前記複数のシートキャップは、前記各レッグの先方端にそれぞれ円板状に突成された複数の支持部と、それら支持部の上方側に突成されて前記各上部スプリングの下方端がそれぞれ係合される複数の上部突条と、前記各支持部の下方側から突成されて前記各下部スプリングの上方端がそれぞれ係合される下部突条と、を包含して構成されたことを特徴とする請求項３記載の密閉型圧縮機のオイル供給装置。
【発明の詳細な説明】
【０００１】
【発明の属する技術分野】
本発明は、密閉型圧縮機のオイル供給装置に係るもので、詳細には、組立を簡便にして組立性を向上させ、オイル供給性能を増大して生産性を向上し得る、密閉型圧縮機のオイル供給装置に関する。
【０００２】
【従来の技術】
一般に、密閉型圧縮機とは、流体を圧縮して供給する装置であって、主に冷蔵庫やエアコンのような冷却システムに適用される。そして、従来の密閉型圧縮機は、図４に示すように、内部に密閉空間が形成される密閉容器１と、該密閉容器１の内部に収納されて駆動力を提供する駆動モータ３と、該駆動モータ３の駆動力を受けて流体の圧縮を行う圧縮部３０と、密閉容器１の内部にオイルを供給して潤滑及び冷却作用を行なうオイル供給装置２０とにより構成されている。
【０００３】
駆動モータ３は、励磁コイルが巻回された固定子４と、該固定子４の内部に回動自在に嵌合された永久磁石からなる回転子５とにより構成され、固定子４の下方端と密閉容器１の底面上間にはそれぞれ突条が相互対向して上下方向に突成され、それら突条間には支持スプリング１５が係合されることで駆動モータ３が弾支されている。
【０００４】
ここで、支持スプリング１５は、密閉容器１の底面上に装着されたスプリングシート１８と、固定子４の下方端間に係合されたスプリングサポータ１７とにより伸縮自在に係合されて、駆動モータ３を緩衝可能に支持している。
【０００５】
また、圧縮部３０は、駆動モータ３の縦方向中心に回転自在に嵌合され上部に偏心部が形成されたクランク軸７と、該クランク軸７の回転力を伝達する連接棒８(connecting rod)と、該連接棒８に連結されて往復運動を行なうことで流体の圧縮を行うピストン１０と、該ピストン１０が往復運動自在に挿入され、流体の圧縮室を形成するシリンダー６と、該シリンダー６の前方側に配置されて圧縮された流体の開閉作用を行うバルブアセンブリ１０とにより構成されている。
【０００６】
また、オイル供給装置２０は、クランク軸７の内側に長さ方向に切削形成されて圧縮機内部の摺動部にオイルを供給するオイル流路１２と、クランク軸７の下方端に嵌合されて該クランク軸７と一緒に回転するスリーブ１１と、該スリーブ１１の内周面に所定隙間を維持するように嵌合されて、該スリーブ１１の回転時に前記隙間からオイルを吸入してオイル流路１２に供給する吸上部材１３と、該吸上部材１３がスリーブ１１の内周面と所定隙間を維持するように支持する支持用ブラケット１４とにより構成されている。
【０００７】
支持用ブラケット１４は、吸上部材１３の下方端が中央に嵌合されたほぼ弓状の弾性ロッドにより屈曲形成され、両方端が上方向に屈曲形成されてその先方端がそれぞれ固定子４の下方側に溶接されていた。即ち、支持用ブラケット１４は、吸上部材１３と固定子４間に連結されて、吸上部材１３をスリーブ１１と所定隙間が維持されるように支持する役割をしている。
【０００８】
そして、このように構成された従来技術による密閉型圧縮機のオイル供給装置を組立てるときは、先ず、クランク軸７の下方側内周面にスリーブ１１を圧入させた後、該スリーブ１１に吸上部材１３を嵌合し、該吸上部材１３の下方端を支持用ブラケット１４の中央上面に嵌合させ、その後、該支持用ブラケット１４の両側端部を駆動モータ３の固定子４の下方端にそれぞれ溶接させる。
【０００９】
次いで、固定子４の下端部のスプリングサポータ１７を組合わせ、密閉容器１の底面上にスプリングシート１８を組合わせた後、それらスプリングサポータ１７とスプリングシート１８間に支持スプリング１５を係合させてオイル供給装置の組立を終了している。
【００１０】
【発明が解決しようとする課題】
然るに、このような従来技術による密閉型圧縮機のオイル供給装置では、組立工程中、吸上部材１３をスリーブ１１に嵌合させ、その後吸上部材１３の下方端を支持用ブラケット１４の上面中央に嵌合させた後、該支持用ブラケット１４の両側端を固定子４の下方端に溶接すべきであるため、組立工程が煩雑で生産性が低下する問題がある。
【００１１】
また、従来技術による密閉型圧縮機のオイル供給装置では、駆動モータから発生する振動が支持用ブラケット１４を介して吸上部材に直接伝達されるため、スリーブ１１の内部に嵌合される吸上部材１３とスリーブ１１間の隙間を恒常一定に維持することができず、よって、オイルの吸上げを円滑に行なうことができないという問題がある。
【００１２】
本発明は、このような従来技術の問題に鑑みてなされたもので、吸上部材が固定子を支持する支持スプリングに支持されるように構成し、圧縮機の組立工程で、吸上部材及び支持スプリングを一緒に組立てる状態に圧縮機を組立てることで、密閉型圧縮機の組立作業を正確及び簡便に行って生産性を向上し得る、密閉型圧縮機のオイル供給装置を提供することを目的とする。
【００１３】
【課題を解決するための手段】
このような目的を達成するため、本発明に係る密閉型圧縮機のオイル供給装置は、駆動モータの固定子の内部の回転子に回動自在に嵌合されて、内部にオイル流路が切削形成されたクランク軸と、前記駆動モータを弾性支持する複数の支持スプリングと、前記クランク軸の下方端に嵌合されて該クランク軸と一緒に回転されるスリーブと、前記スリーブの内周面に所定間隔を維持するように嵌合されてオイルの吸入作用を行なう吸上部材と、前記吸上部材が前記スリーブの内部で停止状態を維持するように、前記吸上部材を支持する支持ブラケットとを具備し、前記支持ブラケットは前記吸上部材の下方端から放射状に延長形成される複数のレッグを具備しており、該レッグの先方端が前記支持スプリングに係合するようにしたことを備えて構成されたことを特徴とする。
【００１４】
そして、前記複数の支持スプリングは、前記固定子の下面に装着される複数のスプリングサポータにそれぞれ係合される複数の上部スプリングと、前記密閉容器の底面に装着される複数のスプリングシートにそれぞれ係合される複数の下部スプリングと、に分割された形態に形成されることを特徴とする。
【００１５】
前記支持ブラケットは、前記各レッグの各先方端にそれぞれ形成され、前記各上部スプリングと下部スプリング間にそれぞれ係合される複数のシートキャップを包含して構成されることを特徴とする。
【００１６】
また、前記各レッグは、前記吸上部材の下面に嵌合されて外側方向に延長される所定幅を有するロッド状に形成され、その先方側は上向きに折曲される所定弾性力を有する材質からなることを特徴とする。
【００１７】
更に、前記複数のシートキャップは、前記各レッグの先方端にそれぞれ円板状に突成された複数の支持部と、それら支持部の上方側に突成されて前記各上部スプリングの下方端がそれぞれ係合される複数の上部突条と、前記各支持部の下方側から突成されて前記各下部スプリングの上方端がそれぞれ係合される下部突条とを包含して構成されたことを特徴とする。
【００１８】
【発明の実施の形態】
以下、添付図面を参照して本発明の実施の形態を説明する。
本発明に係るオイル供給装置を備えた密閉型圧縮機は、図１、２に示すように、内部に密閉空間を形成する密閉容器１０１と、該密閉容器１０１の内部に収納されて駆動力を提供する駆動モータ１０３と、該駆動モータ１０３の駆動力を受けて流体の圧縮を行う圧縮部１３０と、密閉容器１０１の内部にオイルを供給して潤滑及び冷却作用を行うオイル供給装置１２０とを備えて構成されている。
【００１９】
そして、駆動モータ１０３は、励磁コイルが巻回された固定子１０４と、該固定子１０４の内部に回動自在に嵌合されて永久磁石からなる回転子１０５と、から構成され、固定子１０４に電源が印加されると、該固定子１０４と回転子１０５間の電磁気的作用によって回転力が発生されるようになっている。
【００２０】
圧縮部１３０は、駆動モータ１０３の回転子１０５に連結して回転され、上部に偏心部が形成されるクランク軸１０７と、該クランク軸１０７の回転力を伝達する連接棒１０８と、該連接棒１０８に連結されて往復運動することで流体を圧縮するピストン１０９と、該ピストン１０９が往復運動自在に挿入されて圧縮室を形成するシリンダー１０６と、該シリンダー１０６の前方側に装着されて圧縮された流体の開閉作用を行なうバルブアセンブリ１１０とから構成されている。
【００２１】
また、固定子１０４と密閉容器１０１の内部の底面間には、駆動モータ１０３を緩衝可能に支持する複数の支持スプリング１１４が係合され、それら支持スプリング１１４は、固定子１０４の下面に突成された複数のスプリングサポータ１１７の外周壁面にそれぞれ挿合して係止される複数の上部スプリング１１５と、密閉容器１０１の底面に突成された複数のスプリングシート１１８の外周壁面にそれぞれ挿合して係止される複数の下部スプリング１１６と、に分割して形成され、それら上部スプリング１１５と下部スプリング１１６間にオイル供給装置１２０が構成されている。
【００２２】
ここで、上部スプリング１１５及び下部スプリング１１６は、それぞれ圧縮コイルスプリングが用いられる。
また、オイル供給装置１２０は、クランク軸１０７の下方端に嵌合されて該クランク軸１０７と一緒に回転するスリーブ１１１と、クランク軸１０７の内部中央に切削形成されたオイル流路１１２と、スリーブ１１１の内周面と所定間隔を維持するように嵌合され、該スリーブ１１１との相互作用によりオイル流路１１２にオイルが吸入される吸上部材１４０と、該吸上部材１４０がスリーブ１１１の内部で停止状態を維持するように、吸上部材１４０を支持スプリング１１４に支持させる支持ブラケット１４１とにより構成されている。
【００２３】
ここで、スリーブ１１１は、クランク軸１０７の下方端に嵌合されて一緒に回転される中空円筒状に形成され、その終端部は密閉容器１０１の底面上に充填されたオイルに浸漬されている。
【００２４】
更に、吸上部材１４０は、丸棒状に形成されてスリーブ１１１の内周面に所定隙間を維持して嵌合され、外周面に螺旋状の流路が切削形成されることでスリーブ１１１の回転時にオイルが上側方向に吸入されるようになっている。
【００２５】
また、支持ブラケット１４１は、図２に示すように、吸上部材１４０の下面が２つのロッドの交差点中央に嵌合され、それら２つのロッドの両方端がそれぞれ放射状に延長された複数のレッグ１４２と、それらレッグ１４２の先方端にそれぞれ突成されて上部スプリング１１５と下部スプリング１１６間にそれぞれ係止される複数のシートキャップ１４３とから構成されている。
【００２６】
各レッグ１４２は、吸上部材１４０の下面に嵌合されて外側方向に延長される所定幅を有するロッド状に形成され、各先方側は上方向きに屈曲されて先方端に弾性力を有するシートキャップ１４３がそれぞれ突成され、それらシートキャップ１４３は、各レッグ１４２の端部に円形状に形成される支持部１４７と、それら支持部１４７の上方に形成されて各上部スプリング１１５の下方端が係合される上部突条１４５と、各支持部１４７の下方側に形成されて各下部スプリング１１６の上方端に係合される下部突条１４６とから構成されている。
【００２７】
以下、図３を参照して、このように構成された本発明に係る密閉型圧縮機のオイル供給装置の組立過程を説明する。
先ず、クランク軸１０７の下方端内周面にスリーブ１１１を嵌合または圧入させた後、吸上部材１４０の下面に支持ブラケット１４１を嵌合させる。
【００２８】
即ち、支持ブラケット１４１の複数のシートキャップ１４３を、固定子１０４の下方端のスプリングサポータ１１７に挿合された各上部スプリング１１５と、密閉容器１０１の底面の各スプリングシート１１８に挿合された各下部スプリング１１６と、の間にそれぞれ係合させることで、吸上部材１４０をスリーブ１１１の内部に嵌合させて組立を終了する。
【００２９】
従って、スリーブ１１１、吸上部材１４０及び支持ブラケット１４１を、駆動モータ１０３及び圧縮部１３０の全てが組立られる組立体として組立てることができる。
支持ブラケット１４１の各シートキャップ１４３が上、下部スプリング１１５、１１６の各々の間にそれぞれ係合されるので組立作業が極めて簡便になる。
【００３０】
このように構成された本発明に係る密閉型圧縮機では、駆動モータ１０３が回転すると、クランク軸１０７が回転しながら圧縮部１３０に動力を伝達するので、流体の圧縮が行なわれる。
【００３１】
一方、駆動モータ１０３の回転によりクランク軸１０７が回転されると、スリーブ１１１が回転し、密閉容器１０１の内部底面上に充填されたオイルが、スリーブ１１１の回転により吸上部材１４０の外周面の螺旋状の流路を沿って吸上げられ、吸上げられたオイルは圧縮機内部の各摩擦部位の潤滑作用を行うが、この時、吸上部材１４０を支持する支持ブラケット１４１の各シートキャップ１４３が上、下部支持スプリング１１６、１１７の各々の間にそれぞれ係合され、駆動モータ１０３から発生する振動が上、下部スプリング１１６、１１７に吸収されるため、振動が吸上部材１４０に直接伝達されることが防止され、よって、吸上部材１４０はスリーブ１１１の内周面と所定間隔を維持し得るようになって、オイルが安定的に吸入される。
【００３２】
【発明の効果】
以上説明したように、本発明に係る密閉型圧縮機のオイル供給装置においては、複数個のレッグが支持スプリング間の各シートキャップにそれぞれ連結されているため、モータ及び圧縮部を全て組立てた状態にスリーブ及び吸上部材の組立を簡単に行い得るようになって、組立作業を簡便に行って生産性を向上し得るという効果がある。
【００３３】
本発明に係る密閉型圧縮機のオイル供給装置においては、スリーブの内部に嵌合される吸上部材が複数個のレッグにより安定的に支持されているため、吸上部材とスリーブの内周面とが恒常所定間隔を維持し得るようになって、オイルの吸上をより円滑に行い得るという効果がある。
【００３４】
また、本発明に係る密閉型圧縮機のオイル供給装置においては、モータから発生される振動が支持スプリングに吸収されて、支持ブラケットを介して吸上部材に直接伝達されることが防止されるため、吸上部材とスリーブの内周面とが所定間隔を維持し得るようになって、オイル吸上の信頼性を向上し得るという効果がある。
【図面の簡単な説明】
【図１】本発明に係る密閉型圧縮機の構成を示した縦断面図である。
【図２】図１の支持ブラケットを示した斜視図である。
【図３】図１のオイル供給装置を示した分解側面図である。
【図４】従来技術による密閉型圧縮機の構成を示した縦断面図である。
【符号の説明】
１０１…密閉容器
１０３…モータ
１０４…固定子
１０５…回転子
１０６…シリンダー
１０７…クランク軸
１０８…連接棒
１１０…ピストン
１１１…スリーブ
１１２…オイル流路
１１４…支持スプリング
１１５…上部スプリング
１１６…下部スプリング
１１７…スプリングサポータ
１１８…スプリングシート
１４０…吸上部材
１４１…支持ブラケット
１４２…レッグ
１４３…シートキャップ
１４５…上部突条
１４６…下部突条
【図１】
0003699419.tif 000002
【図２】
0003699419.tif 000003
【図３】
0003699419.tif 000004
【図４】
0003699419.tif 000005